(57)【要約】      （修正有）【課題】吐水装置を結合する水素生成システムを提供する。【解決手段】水素生成システム１は、水素生成装置３を備え、水素生成装置３は吐水装置２内に接続され、ケース３１と、液体入れ空間と、少なくとも２枚の電極シートと、防水空間と、制御回路とを備える。ケース３１は給水孔３１１及び排水孔３１２を有する。液体入れ空間はケース３１に内設され、ケース３１の給水孔３１１及び排水孔３１２に連通される。少なくとも２枚の電極シートは液体入れ空間に設置される。防水空間はケース３１に内設される。制御回路は防水空間に設置されると共に少なくとも２枚の電極シートに電気的に接続される。水素生成装置３のケース３１の給水孔３１１は吐水装置２の吐水口２１に連結される。【選択図】図１Ａ
0003206858.tif 000002
【実用新案登録請求の範囲】
【請求項１】
吐水装置に接続される水素生成装置とを備え、
前記水素生成装置は、
少なくとも１つの給水孔及び少なくとも１つの排水孔を有するケースと、
前記ケースに内設され、前記ケースの前記少なくとも１つの給水孔及び前記少なくとも１つの排水孔に連通される液体入れ空間と、
前記液体入れ空間に設置される少なくとも２枚の電極シートと、
前記ケースに内設される防水空間と、
前記防水空間に設置されると共に前記少なくとも２枚の電極シートに電気的に接続される制御回路とをさらに含み、
前記ケースの前記少なくとも１つの給水孔は前記吐水装置の少なくとも１つの吐水口に連結されることを特徴とする、
吐水装置を結合する水素生成システム。
【請求項２】
前記吐水装置は湯沸かし器と、スプリンクラーと、蛇口と、シャワーヘッドのいずれか１つを含むことを特徴とする、請求項１に記載の吐水装置を結合する水素生成システム。
【請求項３】
前記ケースは、前記少なくとも１つの排水孔及び前記液体入れ空間に連通される内部空間を有する第一本体と、前記第一本体に連結される第二本体と、前記第二本体及び前記少なくとも１つの給水孔に連結される第三本体とを備え、少なくとも１つの薬物、薬剤及び／或いは香料が前記第一本体の前記内部空間に設置され、前記液体入れ空間が前記第二本体に内設され、前記防水空間が前記第三本体に内設されることを特徴とする、請求項１に記載の吐水装置を結合する水素生成システム。
【請求項４】
前記少なくとも２枚の電極シートは管形状を含み、前記液体入れ空間にそれぞれ設置され、前記液体入れ空間にはインナーチャンバ及び外部チャンバが形成されることを特徴とする、請求項１に記載の吐水装置を結合する水素生成システム。
【請求項５】
前記水素生成装置は、前記吐水装置に連結される少なくとも１つの結合部を備えることを特徴とする、請求項２に記載の吐水装置を結合する水素生成システム。
【請求項６】
前記水素生成装置は、前記シャワーヘッド側に近接する第一水管に連結される第一結合部と、前記シャワーヘッドの吐水口側に近接する第二水管に連結される第二結合部とを備えることを特徴とする、請求項２に記載の吐水装置を結合する水素生成システム。
【請求項７】
前記第二本体は、前記液体入れ空間に設置されることで、前記液体入れ空間に上部チャンバ及び下部チャンバが形成され、且つ前記上部チャンバ及び前記下部チャンバに連通される穴を有するスペーサーと、吸水端及び排水端を有し、前記吸水端は前記少なくとも１つの給水孔に連結され、前記排水端により前記スペーサーが貫通されると、前記排水端が前記上部チャンバに設置される第一管と、吸水端及び排水端を有し、前記吸水端は前記少なくとも１つの給水孔に連結され、前記排水端により前記スペーサーが貫通されると、前記排水端が前記上部チャンバに設置される第二管とを更に備え、前記第一管の前記排水端及び前記第二管の前記排水端は前記スペーサー上に対応するように設置されることを特徴とする、請求項３に記載の吐水装置を結合する水素生成システム。
【請求項８】
前記スペーサーは下向きに凹む形状を呈することを特徴とする、請求項７に記載の吐水装置を結合する水素生成システム。
【請求項９】
前記少なくとも２枚の電極シートの間に設置される薄膜を更に備えることを特徴とする、請求項４に記載の吐水装置を結合する水素生成システム。
【請求項１０】
前記水素生成装置は、前記インナーチャンバを形成させる第一電極シートに連接される第一連接管と、前記外部チャンバを形成させる第二電極シートに連接される第二連接管とを更に備えることを特徴とする、請求項４に記載の吐水装置を結合する水素生成システム。
【請求項１１】
前記水素生成装置は、前記第一連接管に設置される第一排水制御栓と、前記第二連接管に設置される第二排水制御栓とを更に備えることを特徴とする、請求項１０に記載の吐水装置を結合する水素生成システム。
【考案の詳細な説明】
【技術分野】
【０００１】
本考案は、吐水装置を結合する水素生成システムに関する。
【背景技術】
【０００２】
現在市場に出回る吐水装置としては、湯沸かし器、スプリンクラー、蛇口、シャワーヘッド等が存在し、水を装置の中から吐出し、使用者が使用できるようになっている。また、現在では、家庭設備の一つとして水素機も常用されており、水の電解に使用されている。
【考案の概要】
【考案が解決しようとする課題】
【０００３】
しかしながら、現在市場には様々な機能を有する水素機が存在するが、上述の吐水機能及び水の電解機能が結合された水素機はまだ存在しない。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、吐水装置を結合する水素生成システムを提供することを主目的とする。
【課題を解決するための手段】
【０００６】
上述した課題を解決し、目的を達成するための本考案に係る吐水装置を結合する水素生成システムは、水素生成装置を備える。水素生成装置は吐水装置内に接続され、ケースと、液体入れ空間と、少なくとも２枚の電極シートと、防水空間と、制御回路とを備える。ケースは給水孔及び排水孔を有する。液体入れ空間はケースに内設され、ケースの給水孔及び排水孔に連通される。少なくとも２枚の電極シートは液体入れ空間に設置される。防水空間はケースに内設される。制御回路は防水空間に設置されると共に少なくとも２枚の電極シートに電気的に接続される。水素生成装置のケースの給水孔は吐水装置の吐水口に連結される。
【考案の効果】
【０００７】
上述したように、本考案に係る送風装置を結合する水素生成システムは、吐水機能を有する吐水装置及び水の電解機能を有する水素生成装置が結合され、且つ吐水装置から水が吐出されると同時に連動して水素生成装置が電解により水素及び酸素を発生させ、使用者が各種の吐水装置を使用する際に、水素生成装置が発生させた水素及び酸素を同時に吸収できるようになる。また、使用者の需要に応えられるように、水素生成装置は各種の吐水装置に接続可能である。
【図面の簡単な説明】
【０００８】
【図１Ａ】本考案の第１実施形態に係る吐水装置を結合する水素生成システムを示す外観斜視図である。
【図１Ｂ】本考案の第１実施形態に係る吐水装置を結合する水素生成システムを示す外観斜視図である。
【図１Ｃ】本考案の水素生成装置を示す外観斜視図である。
【図１Ｄ】本考案の水素生成装置を示す断面図である。
【図１Ｅ】本考案の水素生成装置の電極シートを示す上面図である。
【図１Ｆ】本考案の他の実施形態に係る水素生成装置を示す概略図である。
【図１Ｇ】本考案の他の実施形態に係る吐水装置を結合する水素生成システムを示す概略図である。
【図２Ａ】本考案の他の実施形態に係る水素生成装置を示す概略図である。
【図２Ｂ】本考案の他の実施形態に係る水素生成装置を示す概略図である。
【図２Ｃ】本考案の他の実施形態に係る水素生成装置を示す概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１０】
（第１実施形態）
図１Ａは本考案の第１実施形態に係る吐水装置を結合する水素生成システムを示す外観斜視図であり、図１Ｂは本考案の第１実施形態に係る吐水装置を結合する水素生成システムを示す外観斜視図である。図１Ｃは本考案の水素生成装置を示す外観斜視図であり、図１Ｄは本考案の水素生成装置を示す断面図であり、図１Ｅは本考案の水素生成装置の電極シートを示す上面図である。
吐水装置を結合する水素生成システム１は、水素生成装置３を備える。水素生成装置３は吐水装置２に接続され、ケース３１と、液体入れ空間３２と、少なくとも２枚の電極シート３３と、防水空間３４と、制御回路３５とを含む。ケース３１は給水孔３１１及び排水孔３１２を有する。液体入れ空間３２はケース３１に内設され、ケース３１の給水孔３１１及び排水孔３１２に連通される。少なくとも２枚の電極シート３３は液体入れ空間３２に設置される。
防水空間３４はケース３１に内設される。制御回路３５は防水空間３４に設置されると共に少なくとも２枚の電極シート３３に電気的に接続され、水素生成装置３が水を電解するために必要な電力を提供する。水素生成装置３のケース３１の給水孔３１１は吐水装置２の吐水口２１に連結される。
【００１１】
本考案の水素生成装置３は、各種の吐水装置２に結合される。吐水装置２は湯沸かし器、スプリンクラー、噴水池、蛇口、シャワーヘッド等を含む。図１Ａに示すように、水素生成装置３は蛇口に結合される。図１Ｂに示すように、水素生成装置３はシャワーヘッドに結合される。
水素生成装置３が異なる吐水装置２に結合される場合、水素生成装置３の給水孔３１１及び排水孔３１２が吐水装置２の吐水口２１に対応する位置に設置される。なお、蛇口の吐水口２１が上方に位置される場合、水素生成装置３の給水孔３１１が上方の対応する位置に設置されることで、吐水口２１に連結される。シャワーヘッドの吐水口２１が下方に位置される場合、水素生成装置３の給水孔３１１が下方の対応する位置に設置されることで、吐水口２１に連結される。
【００１２】
上述したように、水素生成装置３は、吐水装置２に連結される少なくとも１つの結合部を備える。水素生成装置３が蛇口に結合される場合、前記結合部が蛇口の吐水口２１に結合される。或いは、図１Ｄに示すように、水素生成装置３は第一結合部３１３及び第二結合部３１４を含み、シャワーヘッドの水管の二端に連結される。即ち、第一結合部３１３がシャワーヘッド側に近接する水管に連結され、第二結合部３１４がシャワーヘッドの吐水口２１側に近接する水管に連結される。
【００１３】
なお、少なくとも２枚の電極シート３３は管形状を含み、液体入れ空間３２にそれぞれ設置され、液体入れ空間３２にインナーチャンバ３２１及び外部チャンバ３２２が形成される。水素生成装置３は、少なくとも２枚の電極シート３３の間に設置される薄膜３６を更に備える。薄膜３６は高い導電率を有するため、電極シート３６の間の電界の強度が強化され、導電率が更に高まり、電解効率が向上する。
【００１４】
さらに、図１Ｆは本考案の他の実施形態に係る水素生成装置を示す概略図であり、図１Ｇは本考案の他の実施形態に係る吐水装置を結合する水素生成システムを示す概略図である。
水素生成装置３は第一連接管３７１及び第二連接管３７２を更に備える。第一連接管３７１はインナーチャンバ３２１を形成させる第一電極シート３３に連接される。第二連接管３７２は外部チャンバ３２２を形成させる第二電極シート３３に連接される。さらには、第一電極シート３３及び第二電極シート３３は対応し合う陽極性及び陰極性であるため、第一電極シート３３が陽極性である場合、インナーチャンバ３２１では酸素及び酸性の水質の酸性液が発生する。第二電極シート３３が陰極性である場合、外部チャンバ３２２では水素及びアルカリ性の水質のアルカリ性水が発生する。
さらに、図１Ｆに示すように、酸性液及びアルカリ性水の吐水量を制御するため、第一連接管３７１には第一排水制御栓３８１が設置され、第二連接管３７２には第二排水制御栓３８２が設置される。
【００１５】
図２Ａ乃至図２Ｃは本考案の他の実施形態に係る水素生成装置を示す概略図である。この実施形態において、水素生成装置のケースは組み合わせる方式で接合され、使用者による交換及びメンテナンスが楽になる。
さらに、水素生成装置３のケース３１は、第一本体３１Ａと、第二本体３１Ｂと、第三本体３１Ｃとを備える。液体入れ空間３２は第二本体３１Ｂに内設される。防水空間３２は第三本体３１Ｃに内設される。第一本体３１Ａは、少なくとも１つの排水孔３１２及び液体入れ空間３２に連通される内部空間３１Ａ１を有する。第二本体３１Ｂは第一本体３１Ａに連結される。第三本体３１Ｃは第二本体３１Ｂ及び少なくとも１つの給水孔３１１に連結される。少なくとも１つの薬物、薬剤及び／或いは香料（点状で示す）が第一本体３１Ａの内部空間３１Ａ１に設置され、水流が給水孔３１１から液体入れ空間３２に流入した後に、第一本体３１Ａの内部空間３１Ａ１を流れる際に薬物、薬剤及び／或いは香料が吸収される効果を発揮する。また、第一本体３１Ａ、第二本体３１Ｂ及び第三本体３１Ｃの間はねじ山方式で接合される（図示せず）。
【００１６】
図２Ｂは本考案の他の実施形態に係る水素生成装置を示す概略図である。上述の実施形態との差異は、第二本体３１Ｂがスペーサー３９１と、第一管３９２と、第二管３９３とを更に備える点である。スペーサー３９１は液体入れ空間３２に設置されることで、液体入れ空間３２に上部チャンバ３２３及び下部チャンバ３２４が形成され、且つスペーサー３９１は上部チャンバ３２３及び下部チャンバ３２４に連通される穴３９５を有する。
第一管３９２の吸水端は給水孔３１１に連結され、排水端によりスペーサー３９１が貫通されると、排水端が上部チャンバ３２３に設置される。第二管３９３の吸水端が給水孔３１１に連結され、排水端によりスペーサー３９１が貫通されると、排水端が上部チャンバ３２３に設置される。また、第一管３９２の排水端及び第二管３９３の排水端はスペーサー３９１上に対応し合うように設置され、水流がスペーサー３９１上を流動するようになる。なお、スペーサー３９１は下向きに凹む形状を含む。
【００１７】
図２Ｃは第二本体及び第三本体の斜視図である。第二本体３１Ｂの底部には第一組合せ部及び少なくとも１つの導電接続部材Ｌ１を備え、第三本体３１Ｃは第二組合せ部及び導電素子Ｌ２を備える。第一組合せ部が第二組合せ部に連結されると、導電接続部材Ｌ１が導電素子Ｌ２に電気的に接続される。実施形態において、第一組合せ部及び第二組合せ部はねじ山を含む。
電極シート３３は導電接続部材Ｌ１に電気的に接続され、制御回路３５内の給電ユニットは導電素子Ｌ２に電気的に接続される。これにより、制御回路３５は電極シート３３に電力を供給する。また、第二本体３１Ｂの底部と第三本体３１Ｃとの間にはワッシャーＲが設置される。
【００１８】
このほか、吐水装置を結合する水素生成システムは定格電流回路の設計を含み、水素生成装置３の出力電圧及び出力電流が既定の固定値に制限される。さらには、水素生成装置３の液体入れ空間３２に水が入れられている場合、定格電流回路は固定の電圧及び電流に維持され、水の電解動作を行う。
水素生成装置３の液体入れ空間３２に水が入れられていない場合、定格電流回路は水の電解に必要な負荷が変化したことを検知させ、給電ユニットの電気的な接続のオンとオフが切り換えられて、水素生成装置３を過負荷から保護させる効果を達成させる。水素生成装置３の定格電流回路の詳細な作動及び原理は本出願者の台湾実用新案出願第１０５２０６７７７号明細書に記載されている「水素機の定格電流回路」を参照できるため、再述は省く。
【００１９】
結論として、本考案に係る吐水装置を結合する水素生成システムは、吐水機能を有する吐水装置及び水の電解機能を有する水素生成装置が結合され、且つ吐水装置から水が吐出されると同時に連動して水素生成装置が電解により水素及び酸素を発生させ、使用者が様々な吐水装置を使用する際に、水素生成装置が発生させた水素及び酸素も同時に吸収できる。また、使用者の需要に応じるように、水素生成装置は各種の吐水装置に接続可能である。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１        吐水装置を結合する水素生成システム
２        吐水装置
２１      吐水口
３        水素生成装置
３１      ケース
３１１    給水孔
３１２    排水孔
３１３    第一結合部
３１４    第二結合部
３１Ａ    第一本体
３１Ａ１  内部空間
３１Ｂ    第二本体
３１Ｃ    第三本体
３２      液体入れ空間
３２１    インナーチャンバ
３２２    外部チャンバ
３２３    上部チャンバ
３２４    下部チャンバ
３３      電極シート
３４      防水空間
３５      制御回路
３６      薄膜
３７１    第一連接管
３７２    第二連接管
３８１    第一排水制御栓
３８２    第二排水制御栓
３９１    スペーサー
３９２    第一管
３９３    第二管
３９５    穴
Ｌ１      導電接続部材
Ｌ２      導電素子
Ｒ        ワッシャー
【図１Ａ】
0003206858.tif 000003
【図１Ｂ】
0003206858.tif 000004
【図１Ｃ】
0003206858.tif 000005
【図１Ｄ】
0003206858.tif 000006
【図１Ｅ】
0003206858.tif 000007
【図１Ｆ】
0003206858.tif 000008
【図１Ｇ】
0003206858.tif 000009
【図２Ａ】
0003206858.tif 000010
【図２Ｂ】
0003206858.tif 000011
【図２Ｃ】
0003206858.tif 000012